(57)【要約】【課題】折畳み型携帯無線機において、筐体の厚さ方向や幅方向から突出するロッドアンテナの大きさを小さくして、折畳み型携帯無線機の小型化を図ることができるようにする。【解決手段】２つの筐体２，３が回転軸部４を中心に互いに折り畳み自在とされ、一方の筐体２にロッドアンテナ１２が設けられた折畳み型携帯無線機１であって、前記ロッドアンテナ１２が、前記一方の筐体２の幅方向端部２ｂの折畳み外面であって、かつ前記回転軸部４近傍に設けられた引出穴１３ａから、前記一方の筐体２の厚さ方向および長さ方向に沿う第１の仮想基準平面２ｃ、および、前記一方の筐体２の幅方向および長さ方向に沿う第２の仮想基準平面２ｄに対して漸次離間する筐体外側方向に引出し可能に設けられていることを特徴とする折畳み型携帯無線機を提供する。【選択図】　　　図２
2004032272.tif 000002
【特許請求の範囲】
【請求項１】
２つの筐体が回転軸部を中心に互いに折り畳み自在とされ、一方の筐体にロッドアンテナが設けられた折畳み型携帯無線機であって、
前記ロッドアンテナが、前記一方の筐体の幅方向端部の折畳み外面であって、かつ前記回転軸部近傍に設けられた引出穴から、前記一方の筐体の厚さ方向および長さ方向に沿う第１の仮想基準平面、および、前記一方の筐体の幅方向および長さ方向に沿う第２の仮想基準平面に対して漸次離間する筐体外側方向に引出し可能に設けられていることを特徴とする折畳み型携帯無線機。
【請求項２】
前記一方の筐体と他方の筐体とが互いに開いた状態にて、該他の筐体の折畳み外面のうち、前記ロッドアンテナが引き出される領域の周辺部に面取りがなされていることを特徴とする請求項１に記載の折畳み型携帯無線機。
【発明の詳細な説明】
【０００１】
【発明の属する技術分野】
この発明は、２つの筐体が互いに折り畳み自在に連結された折畳み型携帯無線機に関する。
【０００２】
【従来の技術】
周知のように、携帯電話機等の携帯無線機として、いわゆる折畳み型携帯無線機が広く普及しているが、この折畳み型携帯無線機は、ヒンジ部により互いに折り畳み自在に連結された２つの筐体を備え、一方の筐体にマイクロフォン、操作部、基板およびバッテリが設けられ、他方の筐体にスピーカおよび表示部が設けられた構成となっている。
また、一方の筐体には、伸縮自在なロッドアンテナが設けられており、このロッドアンテナの引出し方向は、２つの筐体が互いに開かれた状態にて、一方の筐体の基端部から他方の筐体の長手方向に向かう方向となっている。
【０００３】
このロッドアンテナは、その先端部が他の筐体に搭載されているスピーカ、表示部等に含まれる金属製部品から離間する程、その感度が良好な状態となるため、２つの筐体を互いに開いた状態において、ロッドアンテナを他方の筐体から離間する方向に引き出すことが好ましい。
従来の折畳み型携帯無線機では、ロッドアンテナを他方の筐体から離間させるために、ロッドアンテナの引出し方向を一方の筐体の幅方向および長さ方向に沿う仮想基準平面に対して傾斜する方向としていた。
【０００４】
【発明が解決しようとする課題】
ところで、近年の折畳み型携帯無線機においては、表示部の拡大化、カメラ等の機器類の追加が行われる傾向にあり、表示部を設けた他方の筐体が大型化する傾向にある。
しかしながら、上記の折畳み型携帯無線機においては、他方の筐体の大型化に対して、ロッドアンテナを他方の筐体に接触させないように、幅方向および長さ方向に沿う仮想基準平面に対する引出し方向の傾斜角度を大きくとる必要があった。その結果、ロッドアンテナが一方の筐体の厚さ方向に大きく突出して折畳み型携帯無線機の厚さ寸法が大きくなるという問題があった。
【０００５】
そこで、ロッドアンテナの引出し方向を、一方の筐体の幅方向および長さ方向に沿う仮想基準平面に対して傾斜する方向ではなく、一方の筐体の厚さ方向および長さ方向に沿う仮想基準平面に対して傾斜する方向とする折畳み型携帯無線機が提案されている。
この折畳み型携帯無線機は、厚さ方向にロッドアンテナを引き出さない構成をとるため、厚さ寸法が２つの筐体の厚さ寸法により決定されることになる。
しかしながら、ロッドアンテナが、一方の筐体の側面から幅方向に突出して、折畳み型携帯無線機の幅寸法が大きくなるため、折畳み型携帯無線機の小型化には限界があるという問題があった。
【０００６】
この発明は、上述した事情に鑑みてなされたものであって、筐体の厚さ方向や幅方向から突出するロッドアンテナの大きさを小さくして、折畳み型携帯無線機の小型化を図ることができる折畳み型携帯無線機を提供することを目的としている。
【０００７】
【課題を解決するための手段】
上記課題を解決するために、この発明は以下の手段を提案している。
請求項１に係る発明は、２つの筐体が回転軸部を中心に互いに折り畳み自在とされ、一方の筐体にロッドアンテナが設けられた折畳み型携帯無線機であって、前記ロッドアンテナが、前記一方の筐体の幅方向端部の折畳み外面であって、かつ前記回転軸部近傍に設けられた引出穴から、前記一方の筐体の厚さ方向および長さ方向に沿う第１の仮想基準平面、および、前記一方の筐体の幅方向および長さ方向に沿う第２の仮想基準平面に対して漸次離間する筐体外側方向に引出し可能に設けられていることを特徴とする折畳み型携帯無線機を提案している。
【０００８】
この発明に係る携帯端末装置によれば、ロッドアンテナの引出し方向が、一方の筐体の第１の仮想基準平面および第２の仮想基準平面から漸次離間する方向とされている。このため、第１の仮想基準平面および第２の仮想基準平面に対するロッドアンテナの傾斜角度を少なくしても、２つの筐体が互いに開かれた状態にて、ロッドアンテナを他の筐体に接触させない程度に十分に離間することができる。したがって、ロッドアンテナが一方の筐体の厚さ方向および幅方向に突出する大きさを小さくすることが可能となる。
また、この傾斜角度を少なくしても、ロッドアンテナを引き出した際に、他の筐体の内部に設けられる金属製部品から受ける電気的影響を少なくすることができる。
【０００９】
また、請求項２に係る発明は、請求項１に記載の折畳み型携帯無線機において、前記一方の筐体と他方の筐体とが互いに開いた状態にて、該他の筐体の折畳み外面のうち、前記ロッドアンテナが引き出される領域周辺部に面取りがなされていることを特徴とする折畳み型携帯無線機を提案している。
【００１０】
この発明によれば、他の筐体の折畳み外面のうち、ロッドアンテナが引き出される領域の周辺部に面取りがなされているため、第１の仮想基準平面および第２の仮想基準平面に対するロッドアンテナの傾斜角度をさらに少なくして、ロッドアンテナが一方の筐体の厚さ方向および幅方向に突出する大きさをより小さくできる。
【００１１】
【発明の実施の形態】
図１から図４はこの発明に係る一実施形態を示す。ここで説明する実施の形態は、この発明を折畳み型携帯電話機に適用した場合のものである。図１において、この実施の形態に係る折畳み型携帯電話機（折畳み型携帯無線機）１は、第１の筐体（一方の筐体）２と第２の筐体（他方の筐体）３とをヒンジ部（回転軸部）４により互いに回動自在に連結してなるものである。第１の筐体２の内面５には通話キー、終話キー等の各種の操作キー６およびマイクロフォン７が設けられており、第２の筐体３の内面８には表示部９およびスピーカ１０が設けられている。
【００１２】
また、第１の筐体２の基端部２ａ側には、アンテナ部１１が設けられており、このアンテナ部１１は、図２に示すように、ロッドアンテナ１２とアンテナ収容部１３とから構成されている。
ロッドアンテナ１２は、アンテナ収容部１３から引出し可能に構成されており、アンテナ本体１２ａの先端に操作用の頭部１２ｂを形成してなるものである。アンテナ本体１２ａは、頭部１２ｂを把持して操作することにより伸縮するものであるが、アンテナ本体１２ａをアンテナ収容部１３内に収容した際に、頭部１２ｂが外部に露出するようになっている。このロッドアンテナ１２の引出し方向は、後述するアンテナ収容部１３の収容穴に沿って、第１の筐体２の側面２ｃおよび外面２ｄから第１の筐体２の外方側に離間する方向となっている。
【００１３】
アンテナ収容部１３は、収容穴（引出穴）１３ａを有する筒状の保持部１３ｂからなり、保持部１３ｂは、第１の筐体２の基端部２ａ側、かつ、幅方向の端部２ｂに形成されている。収容穴１３ａは、アンテナ本体１２ａを収容するための穴であり、第１の筐体２の基端部２ａから、第１の筐体２の長さ方向に向けて形成されると共に、第１の筐体２の側面２ｃおよび外面２ｄから漸次離間する方向に向けて形成されている。
【００１４】
すなわち、ロッドアンテナ１２の伸長時には、ロッドアンテナ１２の頭部１２ｂが第２の筐体３の側面（第１の仮想基準平面）２ｃ、および、内面５の反対側にあたる外面（第２の仮想基準平面）２ｄから離間し、収納時には、アンテナ本体１２ａがアンテナ収容部１３に収容される構成となっている。
【００１５】
第２の筐体３の基端部３ａには、図３，４に示すように、第１、第２の筐体２，３が互いに閉じられた状態にて、ヒンジ部４側に延在する突出部３ｂが形成されており、この突出部３ｂ内部にも電子部品が搭載されている。また、第１の筐体２の基端部２ａには、凹部２ｅが形成されている。
突出部３ｂは、図２に示すように、第１の筐体２の他の部分よりも小さい幅寸法を有しており、第１、第２の筐体２，３が互いに開かれた状態で、凹部２ｅに入り込むようになっている。
【００１６】
第２の筐体３の外面（折畳み外面）３ｄのうち、アンテナ部１１の頭部１２ｂが位置する領域の周辺部３ｅは、第２の筐体３の厚さ方向に面取りがなされており、ロッドアンテナ１２の収納時に頭部１２ｂが、第２の筐体３の外面３ｄに接触しないようになっている。
【００１７】
以下、上記のように構成された折畳み型携帯電話機１の使用方法について説明する。
この折畳み型携帯電話機１は、携行時には、図３に示すように、第１の筐体２に対して第２の筐体３が閉じられた状態となっている。この状態から、例えば着信信号を受信して通話を行う場合には、携帯電話機１の操作者が、図２に示すように、通話をするために第１の筐体２に対して第２の筐体３を開くと共に、ロッドアンテナ１２を引き出す。そして、操作者が、所定の操作キー６を押圧し、マイクロフォン７およびスピーカ１０を利用して通話を開始する。
【００１８】
なお、第１の筐体２に対して第２の筐体３を開いた状態では、第２の筐体３の突出部３ｂが第１の筐体２の凹部２ｅに入り込むため、折畳み型携帯電話機１の操作が容易となる程度に、第１の筐体２と第２の筐体３とを互いに開くことができる。
【００１９】
また、例えば、電子メールを送信する場合には、操作者が、第１の筐体２に対して第２の筐体３を開いた状態にする。そして、所定の操作キー６を押圧して文章を作成し、表示部９において文章を確認する。その後、ロッドアンテナ１２を引き出すと共に、所定の操作キー９を押圧して、電子メールを無線基地局に送信する。
【００２０】
上記の携帯電話機１の操作において、ロッドアンテナ１２の引出し操作は、頭部１２ｂを把持してロッドアンテナ１２を引き出すことにより行う。この際のロッドアンテナ１２の引出し方向は、第１の筐体２の側面２ｃおよび外面２ｄに対して漸次離間する方向となる。
このため、第１の筐体２に対して第２の筐体３を開いている状態では、図２に示すように、ロッドアンテナ１２が第２の筐体３の側面３ｃから漸次離間し、かつ、外面３ｄからも漸次離間する方向に位置することになる。すなわち、ロッドアンテナ１２が、第２の筐体３の側面３ｃや外面３ｄから遠ざかることになる。
【００２１】
したがって、無線通信を行う際に、引き出されたロッドアンテナ１２が第２の筐体３に接触することがなく、また、第２の筐体３に設けられた表示部９やスピーカ１０等の金属製部品を含む部材が、第２の筐体３の側面３ｃや外面３ｄ近傍に配置されていても、ロッドアンテナ１２が金属製部品から電気的影響を受けることを少なくできる。
【００２２】
通話や電子メールの送信が終了した際には、操作者が、図３に示すように、第１の筐体２に対して第２の筐体３を閉じると共に、頭部１２ｂを把持してアンテナ本体１２ａを収容穴１３ａに押し込むように押圧して収容し、ロッドアンテナ１２がアンテナ収容部１３に収容された状態にする。この状態では、頭部１２ｂは外部に露出して位置している。
【００２３】
ロッドアンテナ１２を収容部１３に収納している状態でも、収容穴１３ｂに位置するアンテナ本体１２ａの向きは、前述と同様に、第１の筐体２の側面２ｃおよび外面２ｄに対して漸次離間する方向となっている。
このため、第１の筐体２に対して第２の筐体３を閉じた状態において、通話の着信信号や電子メールの受信が行われる際に、第１の筐体２および第２の筐体３の基端部２ａ，３ａの内部に金属製部品が配置されていても、ロッドアンテナ１２が金属製部品から電気的影響を受けることを少なくできる。
【００２４】
上記のように、この携帯電話機１によれば、ロッドアンテナ１２の引出し方向が、第１の筐体２の側面２ｃおよび外面２ｄから漸次離間する方向とされている。このため、側面２ｃおよび外面２ｄに対するロッドアンテナ１２の傾斜角度を少なくしても、２つの筐体２，３が互いに開かれた状態にて、ロッドアンテナ１２を第２の筐体３に接触させない程度に十分に離間することができる。
したがって、ロッドアンテナ１２が第１の筐体２の厚さ方向および幅方向に突出する大きさを小さくして、折畳み型携帯電話機１の厚さ寸法および幅寸法を小さくすることができ、折畳み型携帯無線機１の小型化を図ることが可能となる。
【００２５】
また、第２の筐体３の外面３ｄのうち、アンテナ部１１の頭部１２ｂの領域の周辺部３ｅは、第２の筐体３の厚さ方向に面取りがなされているため、第１の筐体２の側面２ｃおよび外面２ｄに対するロッドアンテナ１２の傾斜角度をさらに少なくして、ロッドアンテナ１２が第１の筐体２の厚さ方向および幅方向に突出する大きさをより小さくできる。したがって、折畳み型携帯無線機１の小型化をさらに図ることが可能となる。
【００２６】
さらに、ロッドアンテナ１２の引出し方向が、第１の筐体２の側面２ｃおよび外面２ｄから漸次離間する方向とされているため、金属製部品から受ける電気的影響を少なくして、外部機器との間で無線通信を行う際に、ロッドアンテナ１２の感度を良好な状態に保持することができる。
【００２７】
また、第２の筐体３には、第１、第２の筐体２，３が互いに閉じられた状態にて、ヒンジ部４に重ねるように突出部３ｂが形成されているため、折畳み型携帯電話機１の全長を伸ばすことなく、第２の筐体３の容積を増加することができる。したがって、表示部９の寸法の拡大を図ることができると共に、カメラ等の機器類の追加を容易に行うことができる。
【００２８】
なお、上記の実施の形態においては、折畳み型携帯電話機１に限ることはなく、例えば、２つの筐体が、互いの厚さ方向に軸線を有する回転軸により、折り畳み自在に連結された折畳み型携帯電話機であってもよい。
以上、本発明の実施形態について図面を参照して詳述したが、具体的な構成はこの実施形態に限られるものではなく、本発明の要旨を逸脱しない範囲の設計変更等も含まれる。
【００２９】
【発明の効果】
以上説明したように、請求項１に係る発明によれば、ロッドアンテナが、一方の筐体の厚さ方向および幅方向に突出する大きさを小さくすることができるため、折畳み型携帯無線機の厚さ寸法および幅寸法を小さくして、折畳み型携帯無線機の小型化を図ることが可能となる。
また、この傾斜角度を少なくしても、ロッドアンテナを引き出した際に、他の筐体の内部に設けられる金属製部品から受ける電気的影響を少なくすることができるため、ロッドアンテナの感度を良好に保持することができる。
【００３０】
また、請求項２に係る発明によれば、他の筐体の折畳み外面のうち、ロッドアンテナが引き出される領域周辺部に面取りがなされているため、ロッドアンテナが一方の筐体の厚さ方向および幅方向に突出する大きさをより小さくして、折畳み型携帯無線機の小型化をさらに図ることが可能となる。
【図面の簡単な説明】
【図１】この発明の実施形態に係る折畳み型携帯電話機において、第１の筐体と第２の筐体とを相互に開いた状態を示す平面図である。
【図２】図１の折畳み型携帯電話機において、第１の筐体と第２の筐体とを相互に開いた状態を示しており、（ａ）は平面図、（ｂ）は側面図である。
【図３】図１の折畳み型携帯電話機において、第１の筐体と第２の筐体とを相互に閉じた状態を示しており、（ａ）は平面図、（ｂ）は側面図である。
【図４】図１の折畳み型携帯電話機において、第１の筐体と第２の筐体とを相互に閉じた状態を示す正面図である。
【符号の説明】
１　折畳み型携帯電話機（折畳み型携帯無線機）
２　第１の筐体（一方の筐体）
２ｃ　側面（第１の仮想基準平面）
２ｄ　外面（第２の仮想基準平面）
３　第２の筐体（他方の筐体）
３ｄ　外面（折畳み外面）
３ｅ　周辺部
４　ヒンジ部（回転軸部）
１２　ロッドアンテナ
１３ａ　収容穴（引出穴）
【図１】
2004032272.tif 000003
【図２】
2004032272.tif 000004
【図３】
2004032272.tif 000005
【図４】
2004032272.tif 000006